(57)【要約】【課題】ケーブル余長処理作業の効率向上および作業者の負担軽減を図ることができるケーブル余長巻回し補助具を提供する。【解決手段】ケーブル余長巻回し補助具１０は、たとえば６００ｍｍの巻回し径で光ケーブル余長部分を円形に巻き回す際には、巻回し径＝６００ｍｍを示す第３の表示Ｂ3までスライド部材５０をスライドさせ、右側および左側上部ガイド３０R，３０Lと右側および左側下部ガイド４０R，４０Lとを６００ｍｍの巻回し径に対応する長さに伸ばせば、円形に巻き回されたケーブル余長部分の右上部、左上部、右下部および左下部を右側および左側上部ケーブル受けガイド３１Ra，３１La並びに右側および左側下部ケーブル受けガイド４３R1，４３R2，４３L1，４３L2によってそれぞれ受けて支持できるように構成されている。【選択図】図１
2012027293.tif 000002
【特許請求の範囲】
【請求項１】
支持物間にケーブル（１）を架設する際にケーブル余長部分を最小の巻回し径である第１の巻回し径から最大の巻回し径である第ｎの巻回し径のうちのいずれか１つの巻回し径で円形に巻き回してケーブル余長処理作業を行うときに使用されるケーブル余長巻回し補助具（１０）であって、
前記ケーブル余長巻回し補助具を前記支持物に固定するための固定部材（６０）と、
上端に前記固定部材が取り付けられた縦長の縦部材（２０）と、
該縦部材の上端部の前記固定部材よりも下の所定の点から該縦部材の長手方向と平行に測った距離が前記第１乃至第ｎの巻回し径の半分となる第１乃至第ｎのスライド位置のいずれか１つのスライド位置にくるように該縦部材の長手方向に沿ってスライド可能に該縦部材に取り付けられたスライド部材（５０）と、
前記縦部材の長手方向に対して右斜め上および左斜め上に開くように該縦部材に取り付けられた、かつ、前記第１乃至第ｎの巻回し径に対応した長さに伸縮可能な右側および左側上部ガイド（３０R，３０L）と、
前記縦部材の長手方向に対して右斜め下および左斜め下に向けて該縦部材に取り付けられた、かつ、前記第１乃至第ｎの巻回し径に対応した長さに伸縮可能な右側および左側下部ガイド（４０R，４０L）とを具備し、
前記右側および左側上部ガイド並びに前記右側および左側下部ガイドが、前記ケーブル余長部分を前記第１乃至第ｎの巻回し径で円形に巻き回す際に該巻き回されたケーブル余長部分の右上部、左上部、右下部および左下部をそれぞれ受けて支持するための右側および左側上部ケーブル受けガイド（３１Ra，３１La）並びに右側および左側下部ケーブル受けガイド（４３R1，４３R2，４３L1，４３L2）を備え、
前記第１乃至第ｎの巻回し径のうち第１の巻回し径から数えてｍ（ｍ＝１〜ｎ）番目の第ｍの巻回し径で前記ケーブル余長部分を円形に巻き回す際に、前記第１乃至第ｎのスライド位置のうちの前記縦部材の上端から見てｍ番目の第ｍのスライド位置に前記スライド部材をスライドさせ、前記右側および左側上部ガイドと前記右側および左側下部ガイドとを該第ｍの巻回し径に対応する長さに伸ばせば、該円形に巻き回されたケーブル余長部分の右上部、左上部、右下部および左下部を前記右側および左側上部ケーブル受けガイド並びに前記右側および左側下部ケーブル受けガイドによってそれぞれ受けて支持できるようにされている、
ことを特徴とする、ケーブル余長巻回し補助具。
【請求項２】
前記縦部材が、板状部材である本体（２１）と、該本体の表面の上端部に取り付けられた、かつ、前記ケーブル余長部分を円形に巻き回す際に該光ケーブル余長部分の上端を合わせて支持するための上端支持部材（２３）とを備え、
前記本体の表面の中央部の前記上端支持部材から下に向かって該本体の長手方向に沿って測った距離が前記第１乃至第ｎの巻回し径の半分の個所に、該第１乃至第ｎの巻回し径を示す第１乃至第７の表示（Ｂ1〜Ｂ7）が付されており、
前記本体の両側面に、前記スライド部材を該本体の長手方向に沿ってスライドさせるための該スライド部材の裏面に形成された係合爪と係合する係合溝（２１ａ）が形成されている、
ことを特徴とする、請求項１記載のケーブル余長巻回し補助具。
【請求項３】
前記右側下部ガイド（４０R）が、右斜め下を向くように末端が前記スライド部材の右下側面に固定された右側伸縮部材（４１R）と、該右側伸縮部材の先端部に取り付けられた右側ガイド部材（４２R）とを備え、
前記左側下部ガイド（４０L）が、左斜め下を向くように末端が前記スライド部材の左下側面に固定された左側伸縮部材（４１L）と、該左側伸縮部材の先端部に取り付けられた左側ガイド部材（４２L）とを備え、
前記右側下部ケーブル受けガイドが、前記右側ガイド部材の表面の上半分の部分に取り付けられた第１の右側ケーブル受けガイド（４３R1）と、該右側ガイド部材の表面の下半分の部分に取り付けられた第２の右側ケーブル受けガイド（４３R2）とを備え、
前記左側下部ケーブル受けガイドが、前記左側ガイド部材の表面の上半分の部分に取り付けられた第１の左側ケーブル受けガイド（４３L1）と、該左側ガイド部材の表面の下半分の部分に取り付けられた第２の左側ケーブル受けガイド（４３L2）とを備え、
前記第１および第２の右側ケーブル受けガイドと前記第１および第２の左側ケーブル受けガイドとが前記第１の巻回し径から前記第ｎの巻回し径までの曲率半径で曲がるように、該第１の右側ケーブル受けガイドおよび該第１の左側ケーブル受けガイドは下端のみが前記右側ガイド部材および前記左側ガイド部材に固定されており、該第２の右側ケーブル受けガイドおよび該第２の左側ケーブル受けガイドは上端のみが該右側ガイド部材および該左側ガイド部材に固定されており、
前記第１および第２の右側ケーブル受けガイドと前記第１および第２の左側ケーブル受けガイドとが、横断面形状がＵ字状となっており、開口面が前記スライド部材を向くように前記右側ガイド部材および前記左側ガイド部材に取り付けられている、
ことを特徴とする、請求項１または２記載のケーブル余長巻回し補助具。
【請求項４】
前記右側および左側伸縮部材が、箱状の第１乃至第ｎの右側および左側部材（４６R1〜４６R7，４６L1〜４６L7）と、２本ずつの第１乃至第（ｎー１）の右側および左側バネ（４７R1〜４７R6，４７L1〜４７L6）とを備え、
前記第１の右側および左側部材が、底面が前記スライド部材の右下側面および左下側面に固定されており、前記第２乃至第ｎの右側および左側部材が前記第１乃至第（ｎー１）の右側および左側部材内に設けられており、前記第ｎの右側および左側部材の先端部が前記第１乃至第（ｎー１）の右側および左側部材の先端面から飛び出ているとともに、前記右側および左側ガイド部材が前記第ｎの右側および左側部材の先端部に取り付けられており、
前記２本ずつの第１乃至第（ｎー１）の右側および左側バネの２本の第ｐ（ｐ＝１〜ｎ）の右側および左側バネが第ｐの右側および左側部材と第（ｐ＋１）の右側および左側部材との間に互いに対向して取り付けられているとともに、該第ｐの右側および左側バネの末端および先端が該第（ｐ＋１）の右側および左側部材の底面側の外面および該第ｐの右側および左側部材の先端側の内面にそれぞれ取り付けられており、
前記第ｎの右側および左側部材の内部に、右側用および左側用ロープ（４５R，４５L）の一端が固定されており、
前記右側用および左側用ロープが、前記第１乃至第ｎの右側および左側部材の底面の中央部に形成された貫通孔および前記スライド部材の内部に取り付けられた滑車（４４）を介して前記縦部材の前記本体の内部に通されているとともに、該右側用および左側ロープの他端が該縦部材の該本体の底面に固定されている、
ことを特徴とする、請求項３記載のケーブル余長巻回し補助具。
【請求項５】
前記右側および左側上部ガイドが、表面に右側および左側ケーブル受けガイド（３１Ra，３１La）が取り付けられた右側および左側ガイド部材（３１R，３１L）と、上端部に該右側および左側ガイド部材が取り付けられた右側および左側支持部材（３２R，３２L）とを備え、
前記右側および左側ケーブル受けガイドが、前記第ｎの巻回し径の半分の曲率半径で曲げられた形状をしているとともに、横断面形状がＵ字状となっており、開口面が前記スライド部材を向くように取り付けられている、
ことを特徴とする、請求項１乃至４いずれかに記載のケーブル余長巻回し補助具。
【請求項６】
前記右側および左側ケーブル受けガイドが、一端のみを前記右側および左側ガイド部材に固定されていることを特徴とする、請求項５記載のケーブル余長巻回し補助具。
【請求項７】
横軸に前記ケーブル余長部分の長さを取るとともに縦軸に仕上り径を取って巻回し回数をパラメータとしてケーブル余長部分の長さと仕上り径との関係をグラフで示したケーブル余長巻回し仕上り図（９０）が、前記縦部材に取り付けられていることを特徴とする、請求項１乃至６いずれかに記載のケーブル余長巻回し補助具。
【発明の詳細な説明】
【技術分野】
【０００１】
本発明は、ケーブル余長巻回し補助具に関し、特に、電柱間にケーブルを架設する際のケーブル余長処理作業を行うのに好適なケーブル余長巻回し補助具に関する。
【背景技術】
【０００２】
電柱（支持物）間に光ケーブルを架設する場合には、将来の線路移設やケーブル障害時の復旧などを考慮して、長さに余裕を持たせた余長を必要な個所に適宜設けている。その際、作業員は光ケーブルの許容曲げ半径に注意して余長処理金具（たとえば、Ｊ型余長処理金具）を用いて光ケーブルの余長部分を巻き回して固定しているが、巻回し回数は作業員個々の判断で行われている。
【０００３】
また、下記の特許文献１に開示された８の字ループ用の余長収納金具では、単一種のもので径の異なるループに対応可能にして製造や現場作業を容易にするために、２個一組で光ケーブルの余長部分を８の字ループに固定して支持線に支持させるものであって、十字形の本体と、この本体を支持線に吊持する吊り具とから構成し、本体の縦横４本のアームのうち一方の縦アームおよび両横アームを伸縮固定自在として、これらアームの先端に光ケーブルの保持部を設け、これらアームの伸縮で径の異なるループが形成固定されるようにしている。
【先行技術文献】
【特許文献】
【０００４】
【特許文献１】特開平１１−３２６６４７号公報
【発明の概要】
【発明が解決しようとする課題】
【０００５】
しかしながら、従来の余長処理金具を用いたケーブル余長処理作業には、以下に示すような問題があった。
（１）曲りにくい光ケーブルの余長部分を手作業で数周分束ねて円形にする必要があるため、光ケーブルの余長部分を手で保持したり仮留めなどの付帯作業が必要になったりするなど、作業者の負担増となっているとともに作業時間を要する。
（２）光ケーブルの余長部分を円形に巻き回す際に径の大きさの判断要素がないため、作業者によって巻回し回数に差が生じるとともに巻回し後に手直しする必要が生じる場合がある。
（３）電柱建替などに伴うケーブル移設個所の余長巻回し作業は、必ずしも余長処理金物の標準円周に合致する長さ余長とはならないこと、光ケーブルの余長部分の癖、作業場所が不安定であること、および、すべてが手作業であることから、長時間を要するものとなっている。
【０００６】
また、上記の特許文献１に開示された８の字ループ用の余長収納金具では、光ケーブルの余長部分を取り付ける部分の長さ調節を個々に行う必要があるとともに、径の目安となる突出し長さを示すマークが少なく異なる径のループも限られている。
【０００７】
本発明の目的は、ケーブル余長処理作業の効率向上および作業者の負担軽減を図ることができるケーブル余長巻回し補助具を提供することにある。
【課題を解決するための手段】
【０００８】
本発明のケーブル余長巻回し補助具は、支持物間にケーブル（１）を架設する際にケーブル余長部分を最小の巻回し径である第１の巻回し径から最大の巻回し径である第ｎの巻回し径のうちのいずれか１つの巻回し径で円形に巻き回してケーブル余長処理作業を行うときに使用されるケーブル余長巻回し補助具（１０）であって、前記ケーブル余長巻回し補助具を前記支持物に固定するための固定部材（６０）と、上端に前記固定部材が取り付けられた縦長の縦部材（２０）と、該縦部材の上端部の前記固定部材よりも下の所定の点から該縦部材の長手方向と平行に測った距離が前記第１乃至第ｎの巻回し径の半分となる第１乃至第ｎのスライド位置のいずれか１つのスライド位置にくるように該縦部材の長手方向に沿ってスライド可能に該縦部材に取り付けられたスライド部材（５０）と、前記縦部材の長手方向に対して右斜め上および左斜め上に開くように該縦部材に取り付けられた、かつ、前記第１乃至第ｎの巻回し径に対応した長さに伸縮可能な右側および左側上部ガイド（３０R，３０L）と、前記縦部材の長手方向に対して右斜め下および左斜め下に向けて該縦部材に取り付けられた、かつ、前記第１乃至第ｎの巻回し径に対応した長さに伸縮可能な右側および左側下部ガイド（４０R，４０L）とを具備し、前記右側および左側上部ガイド並びに前記右側および左側下部ガイドが、前記ケーブル余長部分を前記第１乃至第ｎの巻回し径で円形に巻き回す際に該巻き回されたケーブル余長部分の右上部、左上部、右下部および左下部をそれぞれ受けて支持するための右側および左側上部ケーブル受けガイド（３１Ra，３１La）並びに右側および左側下部ケーブル受けガイド（４３R1，４３R2，４３L1，４３L2）を備え、前記第１乃至第ｎの巻回し径のうち第１の巻回し径から数えてｍ（ｍ＝１〜ｎ）番目の第ｍの巻回し径で前記ケーブル余長部分を円形に巻き回す際に、前記第１乃至第ｎのスライド位置のうちの前記縦部材の上端から見てｍ番目の第ｍのスライド位置に前記スライド部材をスライドさせ、前記右側および左側上部ガイドと前記右側および左側下部ガイドとを該第ｍの巻回し径に対応する長さに伸ばせば、該円形に巻き回されたケーブル余長部分の右上部、左上部、右下部および左下部を前記右側および左側上部ケーブル受けガイド並びに前記右側および左側下部ケーブル受けガイドによってそれぞれ受けて支持できるようにされていることを特徴とする。
ここで、前記縦部材が、板状部材である本体（２１）と、該本体の表面の上端部に取り付けられた、かつ、前記ケーブル余長部分を円形に巻き回す際に該光ケーブル余長部分の上端を合わせて支持するための上端支持部材（２３）とを備え、前記本体の表面の中央部の前記上端支持部材から下に向かって該本体の長手方向に沿って測った距離が前記第１乃至第ｎの巻回し径の半分の個所に、該第１乃至第ｎの巻回し径を示す第１乃至第７の表示（Ｂ1〜Ｂ7）が付されており、前記本体の両側面に、前記スライド部材を該本体の長手方向に沿ってスライドさせるための該スライド部材の裏面に形成された係合爪と係合する係合溝（２１ａ）が形成されていてもよい。
前記右側下部ガイド（４０R）が、右斜め下を向くように末端が前記スライド部材の右下側面に固定された右側伸縮部材（４１R）と、該右側伸縮部材の先端部に取り付けられた右側ガイド部材（４２R）とを備え、前記左側下部ガイド（４０L）が、左斜め下を向くように末端が前記スライド部材の左下側面に固定された左側伸縮部材（４１L）と、該左側伸縮部材の先端部に取り付けられた左側ガイド部材（４２L）とを備え、前記右側下部ケーブル受けガイドが、前記右側ガイド部材の表面の上半分の部分に取り付けられた第１の右側ケーブル受けガイド（４３R1）と、該右側ガイド部材の表面の下半分の部分に取り付けられた第２の右側ケーブル受けガイド（４３R2）とを備え、前記左側下部ケーブル受けガイドが、前記左側ガイド部材の表面の上半分の部分に取り付けられた第１の左側ケーブル受けガイド（４３L1）と、該左側ガイド部材の表面の下半分の部分に取り付けられた第２の左側ケーブル受けガイド（４３L2）とを備え、前記第１および第２の右側ケーブル受けガイドと前記第１および第２の左側ケーブル受けガイドとが前記第１の巻回し径から前記第ｎの巻回し径までの曲率半径で曲がるように、該第１の右側ケーブル受けガイドおよび該第１の左側ケーブル受けガイドは下端のみが前記右側ガイド部材および前記左側ガイド部材に固定されており、該第２の右側ケーブル受けガイドおよび該第２の左側ケーブル受けガイドは上端のみが該右側ガイド部材および該左側ガイド部材に固定されており、前記第１および第２の右側ケーブル受けガイドと前記第１および第２の左側ケーブル受けガイドとが、横断面形状がＵ字状となっており、開口面が前記スライド部材を向くように前記右側ガイド部材および前記左側ガイド部材に取り付けられていてもよい。
前記右側および左側伸縮部材が、箱状の第１乃至第ｎの右側および左側部材（４６R1〜４６R7，４６L1〜４６L7）と、２本ずつの第１乃至第（ｎー１）の右側および左側バネ（４７R1〜４７R6，４７L1〜４７L6）とを備え、前記第１の右側および左側部材が、底面が前記スライド部材の右下側面および左下側面に固定されており、前記第２乃至第ｎの右側および左側部材が前記第１乃至第（ｎー１）の右側および左側部材内に設けられており、前記第ｎの右側および左側部材の先端部が前記第１乃至第（ｎー１）の右側および左側部材の先端面から飛び出ているとともに、前記右側および左側ガイド部材が前記第ｎの右側および左側部材の先端部に取り付けられており、前記２本ずつの第１乃至第（ｎー１）の右側および左側バネの２本の第ｐ（ｐ＝１〜ｎ）の右側および左側バネが第ｐの右側および左側部材と第（ｐ＋１）の右側および左側部材との間に互いに対向して取り付けられているとともに、該第ｐの右側および左側バネの末端および先端が該第（ｐ＋１）の右側および左側部材の底面側の外面および該第ｐの右側および左側部材の先端側の内面にそれぞれ取り付けられており、前記第ｎの右側および左側部材の内部に、右側用および左側用ロープ（４５R，４５L）の一端が固定されており、前記右側用および左側用ロープが、前記第１乃至第ｎの右側および左側部材の底面の中央部に形成された貫通孔および前記スライド部材の内部に取り付けられた滑車（４４）を介して前記縦部材の前記本体の内部に通されているとともに、該右側用および左側ロープの他端が該縦部材の該本体の底面に固定されていてもよい。
前記右側および左側上部ガイドが、表面に右側および左側ケーブル受けガイド（３１Ra，３１La）が取り付けられた右側および左側ガイド部材（３１R，３１L）と、上端部に該右側および左側ガイド部材が取り付けられた右側および左側支持部材（３２R，３２L）とを備え、前記右側および左側ケーブル受けガイドが、前記第ｎの巻回し径の半分の曲率半径で曲げられた形状をしているとともに、横断面形状がＵ字状となっており、開口面が前記スライド部材を向くように取り付けられていてもよい。
前記右側および左側ケーブル受けガイドが、一端のみを前記右側および左側ガイド部材に固定されていてもよい。
横軸に前記ケーブル余長部分の長さを取るとともに縦軸に仕上り径を取って巻回し回数をパラメータとしてケーブル余長部分の長さと仕上り径との関係をグラフで示したケーブル余長巻回し仕上り図（９０）が、前記縦部材に取り付けられていてもよい。
【発明の効果】
【０００９】
本発明のケーブル余長巻回し補助具は、以下に示す効果を奏する。
（１）作業員は右側および左側上部ケーブル受けガイドと右側および左側下部ケーブル受けガイドとにケーブル余長部分の右上部、左上部、右下部および左下部をそれぞれ受けさせながら巻き回せばケーブル余長部分を所望の巻回し径で円形に巻き回すことができるため、ケーブル余長処理作業の効率向上（作業時間の短縮化）および作業者の負担軽減（判断要素の統一および疲労軽減）が図れる。
（２）ケーブル余長処理作業の安全性向上および適応性向上（既設金具の流用が可能および新設移設両作業に適応可能）が図れる。
【図面の簡単な説明】
【００１０】
【図１】本発明の一実施例によるケーブル余長巻回し補助具１０の構成を示す図である。
【図２】図１に示したケーブル余長巻回し補助具１０の構成を説明するための図であり、（ａ）は右側面図であり、（ｂ）は縦部材２０の平面図である。
【図３】図１に示した右側上部ガイド３０Rの構成を説明するための図であり、（ａ）は平面図であり、（ｂ）および（ｃ）は右側上部ガイド３０Rを４５°の角度で開くときの動きを説明するための図である。
【図４】図１に示した右側および左側下部ガイド４０R，４０Lの構成を説明するための図である。
【図５】図４に示した右側および左側伸縮部材４０R，４０Lの構成を説明するための図である。
【図６】図５に示した右側伸縮部材４０Rの動きについて説明するための図である。
【図７】光ケーブル余長部分を巻回し径＝４００ｍｍで円形に巻き回す際の図１に示したケーブル余長巻回し補助具１０の使用方法について説明するための図である。
【図８】光ケーブル余長部分を巻回し径＝６００ｍｍで円形に巻き回す際の図１に示したケーブル余長巻回し補助具１０の使用方法について説明するための図である。
【図９】光ケーブル余長部分を巻回し径＝１０００ｍｍで円形に巻き回す際の図１に示したケーブル余長巻回し補助具１０の使用方法について説明するための図である。
【図１０】ケーブル余長巻回し仕上り図の一例を示す図である。
【発明を実施するための形態】
【００１１】
上記の目的を、ケーブル余長巻回し補助具を、たとえば６００ｍｍの巻回し径で光ケーブル余長部分を円形に巻き回す際には、巻回し径＝６００ｍｍを示す第３の表示までスライド部材をスライドさせ、右側および左側上部ガイドと右側および左側下部ガイドとを６００ｍｍの巻回し径に対応する長さに伸ばせば、右側および左側上部ケーブル受けガイドと右側および左側下部ケーブル受けガイドとによって円形に巻き回されたケーブル余長部分の右上部、左上部、右下部および左下部をそれぞれ受けて支持できるように構成することにより実現した。
【実施例１】
【００１２】
以下、本発明のケーブル余長巻回し補助具の実施例について図面を参照して説明する。
本発明の一実施例によるケーブル余長巻回し補助具１０は、光ケーブル１の余長部分（以下、「光ケーブル余長部分」と称する。）を４００ｍｍ、５００ｍｍ、６００ｍｍ、７００ｍｍ、８００ｍｍ、９００ｍｍおよび１０００ｍｍのいずれか１つの巻回し径で円形に巻き回す際に使用するものであり、図１に示すように、縦長の縦部材２０と、右側および左側上部ガイド３０R，３０Lと、右側および左側下部ガイド４０R，４０Lと、スライド部材５０と、固定部材６０とを具備する。
【００１３】
ここで、縦部材２０は、図２（ｂ）に示すように、横断面形状（縦部材２０の本体２１の長手方向に対して垂直な方向に切ったときに長手方向に沿って見たときの断面図。以下、同様。）が矩形状の板状部材である本体２１と、本体２１の表面（スライド部材５０側の面。以下、同様。）の上端部に取り付けられた、かつ、光ケーブル余長部分を円形に巻き回す際に光ケーブル余長部分の上端を合わせて支持するための板状の上端支持部材２３と、本体２１の裏面の下部に取り付けられた右側および左側上部ガイド支持部材２４R，２４L（図２（ａ）参照。左側上部ガイド支持部材２４Lは不図示。）とを備える。
縦部材２０の本体２１の表面の中央部の上端支持部材２３から下に向かって本体２１の長手方向に沿って測った距離が２００ｍｍ、２５０ｍｍ、３００ｍｍ、３５０ｍｍ、４００ｍｍ、４５０ｍｍおよび５００ｍｍ（巻回し径の半分）の個所には、巻回し径を示す第１乃至第７の表示Ｂ1〜Ｂ7（φ４００、φ５００、φ６００、φ７００、φ８００、φ９００およびφ１０００）が付されている。
縦部材２０の本体２１の両側面には、図２（ａ）に示すように、スライド部材５０を本体２１の長手方向に沿ってスライドさせるための係合溝２１ａが形成されている。
【００１４】
右側および左側上部ガイド３０R，３０Lは、ケーブル余長巻回し補助具１０を使用していないときには図１に実線で示すように閉じられているが、ケーブル余長巻回し補助具１０を使用する際には右左に４５°の角度で開かれる（図１の破線参照）とともに巻回し径に合わせて伸ばされて光ケーブル余長部分の右上部および左上部を受けて支持するためのものである。
【００１５】
そのため、右側上部ガイド３０Rは、図３（ａ）に示すように、表面に右側ケーブル受けガイド３１Raが取り付けられた右側ガイド部材３１Rと、上端部に右側ガイド部材３１Rが取り付けられた右側支持部材３２Rとを備える。
ここで、右側ケーブル受けガイド３１Raは、５００ｍｍ（最大の巻回し径の半分）の曲率半径で曲げられた形状をしているとともに、横断面形状がＵ字状となっており、開口面がスライド部材５０を向くように取り付けられている。
【００１６】
右側ガイド部材３１Rの左側面（左側ガイド部材３１L側の側面）には、図１に実線で示すように右側上部ガイド３０Rを閉じたときに縦部材２０の本体２１が挿入される溝（不図示）が形成されている。
【００１７】
右側支持部材３２Rは、光ケーブル余長部分を巻回し径＝４００ｍｍ、５００ｍｍ、６００ｍｍ、７００ｍｍ、８００ｍｍ、９００ｍｍおよび１０００ｍｍで巻き回す際に右に４５°の角度で開かれて光ケーブル余長部分の右上部を右側ケーブル受けガイド３１Raで受けて支持するために、第１乃至第７の右側回転軸ＣR1〜ＣR7をそれぞれ回転軸として縦部材２０の本体２１の表面と平行な平面に沿って回転可能に７枚の板がそれぞれ連結された２個の板状部材から構成されている（図２（ａ）参照）。したがって、第１乃至第７の右側回転軸ＣR1〜ＣR7の軸方向は縦部材２０の本体２１の長手方向に対して垂直な方向とされているとともに、第１乃至第７の右側回転軸ＣR1〜ＣR7の間隔は５０ｍｍ（１００ｍｍステップで大きくなる巻回し径のステップの半分）とされている。また、２個の板状部材を構成する２枚で１組の板は、外側と内側とが交互となるように連結されている。
これにより、たとえば光ケーブル余長部分を巻回し径＝４００ｍｍで巻き回す際には、図３（ｂ）に示すように、作業員が右側支持部材３２Rの図示最上段の組の板を第１の右側回転軸ＣR1を回転軸として右（同図の時計回り）に４５°だけ回転させることにより、巻回し径＝４００ｍｍで巻き回される光ケーブル余長部分の右上部を右側ケーブル受けガイド３１Raで受けて支持させることができる。
また、たとえば光ケーブル余長部分を巻回し径＝７００ｍｍで巻き回す際には、図３（ｃ）に示すように、作業員が右側支持部材３２Rの図示上の４組の板を第４の右側回転軸ＣR4を回転軸として右に４５°だけ回転させることにより、巻回し径＝７００ｍｍで巻き回される光ケーブル余長部分の右上部を右側ケーブル受けガイド３１Raで受けて支持させることができる。
【００１８】
なお、第７の右側回転軸ＣR7は、右側上部ガイド３０Rを縦部材２０によって支持するために、図２（ａ）に破線で示すように縦部材２０の右側上部ガイド支持部材２４Rに取り付けられている。
【００１９】
左側上部ガイド３０Lは、右側上部ガイド３０Rと同様に形成されている。
【００２０】
右側および左側下部ガイド４０R，４０Lは、ケーブル余長巻回し補助具１０を使用する際には、図１に破線で示すように光ケーブル余長部分の巻回し径に応じて右左に１２０°の角度で伸縮されて、光ケーブル余長部分の右下部および左下部を受けて支持するためのものである。
【００２１】
そのため、右側下部ガイド４０Rは、図４に示すように、長手方向と縦部材２０の本体２１の長手方向（ケーブル余長巻回し補助具１０の長手方向）とのなす角度が１２０°となるように末端がスライド部材５０の右下側面に固定された右側伸縮部材４１Rと、右側伸縮部材４１Rの先端部に取り付けられた右側ガイド部材４２Rとを備える。
同様に、左側下部ガイド４０Lは、長手方向と縦部材２０の本体２１の長手方向とのなす角度が１２０°の角度となるように末端がスライド部材５０の左下側面に固定された左側伸縮部材４１Lと、左側伸縮部材４１Lの先端部に取り付けられた左側ガイド部材４２Lとを備える。
【００２２】
右側ガイド部材４２Rの表面の上半分の部分には、第１の右側ケーブル受けガイド４３R1が取り付けられており、右側ガイド部材４２Rの表面の下半分の部分には、第２の右側ケーブル受けガイド４３R2が取り付けられている。
同様に、左側ガイド部材４２Lの表面の上半分の部分には、第１の左側ケーブル受けガイド４３L1が取り付けられており、左側ガイド部材４２Lの表面の下半分の部分には、第２の左側ケーブル受けガイド４３L 2が取り付けられている。
【００２３】
第１および第２の右側ケーブル受けガイド４３R1，４３R2と第１および第２の左側ケーブル受けガイド４３L1，４３L2とは、図２（ａ）に示すように、右側および左側上部ガイド３０R，３０Lの右側および左側ケーブル受けガイド３１Ra，３１Laと縦部材２０の本体２１の表面と平行な平面上に位置するようにされている。
また、第１および第２の右側ケーブル受けガイド４３R1，４３R2と第１および第２の左側ケーブル受けガイド４３L1，４３L2とが２００ｍｍ（最小の巻回し径＝４００ｍｍの半分）から５００ｍｍ（最大の巻回し径＝１０００ｍｍの半分）までの曲率半径で曲がるように、図４に黒丸で示すように、第１の右側ケーブル受けガイド４３R1および第１の左側ケーブル受けガイド４３L1は下端のみが右側ガイド部材４２Rおよび左側ガイド部材４２Lに固定されており、第２の右側ケーブル受けガイド４３R2および第２の左側ケーブル受けガイド４３L2は上端のみが右側ガイド部材４２Rおよび左側ガイド部材４２Lに固定されている。
さらに、第１および第２の右側ケーブル受けガイド４３R1，４３R2と第１および第２の左側ケーブル受けガイド４３L1，４３L2とは、横断面形状がＵ字状となっており、開口面がスライド部材５０を向くように取り付けられている。
【００２４】
右側および左側伸縮部材４１R，４１Lは、光ケーブル余長部分を巻回し径＝４００ｍｍ、５００ｍｍ、６００ｍｍ、７００ｍｍ、８００ｍｍ、９００ｍｍおよび１０００ｍｍで巻き回す際にスライド部材５０の中央先端が第１乃至第７の表示Ｂ1〜Ｂ7の位置にくるまでスライド部材５０を縦部材２０の本体２１の長手方向に沿ってスライドさせたときに、第１および第２の右側ケーブル受けガイド４３R1，４３R2と第１および第２の左側ケーブル受けガイド４３L1，４３L2とが光ケーブル余長部分の右下部および左下部を受ける位置に自動的にくるように、次のように構成されている。
【００２５】
右側伸縮部材４１Rは、図５に示すように、矩形の箱状の第１乃至第７の右側部材４６R1〜４６R7と、２本ずつの第１乃至第６の右側バネ４７R1〜４７R6（引張バネ）とを備える。
ここで、第１の右側部材４６R1は、底面がスライド部材５０の右下側面に固定されており、第２の右側部材４６R2は第１の右側部材４６R1内に設けられており、第３の右側部材４６R3は第２の右側部材４６R2内に設けられており、第４の右側部材４６R4は第３の右側部材４６R3内に設けられており、第５の右側部材４６R5は第４の右側部材４６R4内に設けられており、第６の右側部材４６R6は第５の右側部材４６R5内に設けられており、第７の右側部材４６R7は第６の右側部材４６R6内に設けられている。
また、第１乃至第６の右側部材４６R1〜４６R6の先端面は同一平面上となるようにされている。第７の右側部材４６R7の先端部は第１乃至第６の右側部材４６R1〜４６R6の先端面から飛び出ており、右側ガイド部材４２Rは第７の右側部材４６R7の先端部に取り付けられている。
【００２６】
２本の第１の右側バネ４７R1は第１の右側部材４６R1と第２の右側部材４６R2との間に互いに対向して取り付けられており、２本の第２の右側バネ４７R2は第２の右側部材４６R2と第３の右側部材４６R3との間に互いに対向して取り付けられており、２本の第３の右側バネ４７R3は第３右側部材４６R3と第４の右側部材４６R4との間に互いに対向して取り付けられており、２本の第４の右側バネ４７R4は第４の右側部材４６R4と第５の右側部材４６R5との間に互いに対向して取り付けられており、２本の第５の右側バネ４７R5は第５の右側部材４６R5と第６の右側部材４６R6との間に互いに対向して取り付けられており、２本の第６の右側バネ４７R6は第６の右側部材４６R6と第７の右側部材４６R7との間に互いに対向して取り付けられている。
ここで、第１の右側バネ４７R1の末端は第２の右側部材４６R2の底面側の外面に取り付けられており、第１の右側バネ４７R1の先端は第１の右側部材４６R1の先端側の内面に取り付けられている。第２の右側バネ４７R2の末端は第３の右側部材４６R3の底面側の外面に取り付けられており、第２の右側バネ４７R2の先端は第２の右側部材４６R2の先端側の内面に取り付けられている。第３の右側バネ４７R3の末端は第４の右側部材４６R4の底面側の外面に取り付けられており、第３の右側バネ４７R3の先端は第３の右側部材４６R3の先端側の外面に取り付けられている。第４の右側バネ４７R4の末端は第５の右側部材４６R5の底面側の外面に取り付けられており、第４の右側バネ４７R4の先端は第４の右側部材４６R4の先端側の内面に取り付けられている。第５の右側バネ４７R5の末端は第６の右側部材４６R6の底面側の外面に取り付けられており、第５の右側バネ４７R5の先端は第５の右側部材４６R5の先端側の内面に取り付けられている。第６の右側バネ４７R6の末端は第７の右側部材４６R7の底面側の外面に取り付けられており、第６の右側バネ４７R6の先端は第６の右側部材４６R6の先端側の内面に取り付けられている。
【００２７】
左側伸縮部材４１Lは、右側伸縮部材４１Rと同様に構成されている。
【００２８】
右側伸縮部材４１Rの第７の右側部材４６R7の内部には右側用ロープ４５Rの一端が固定されている。ここで、右側用ロープ４５Rは、第１乃至第７の右側部材４６R1〜４６R7の底面の中央部に形成された貫通孔およびスライド部材５０の内部に取り付けられた滑車４４を介して縦部材２０の本体２１の内部に通されている。右側用ロープ４５Rの他端は、縦部材２０の本体２１の底面に固定されている。
同様にして、左側伸縮部材４１Lの第７の左側部材４６L7の内部には左側用ロープ４５Lの一端が固定されている。ここで、左側用ロープ４５Lは、第１乃至第７の左側部材４６L1〜４６L7の底面の中央部に形成された貫通孔と滑車４４とを介して縦部材２０の本体２１の内部に通されている。左側用ロープ４５Lの他端は、縦部材２０の本体２１の底面に固定されている。
これにより、図１に示すようにスライド部材５０の中央先端が第１の表示Ｂ1（φ４００）の位置にある場合には、第７の右側部材４６R7および第７の左側部材４６L7が右側用ロープ４５Rおよび左側用ロープ４５Lによってスライド部材５０側に引っ張られて、第２乃至第７の右側部材４６R2〜４６R7および第２乃至第７の左側部材４６L2〜４６L7は第１乃至第６の右側バネ４７R1〜４７R6および第１乃至第６の左側バネ４７L1〜４７L6の付勢力（蓄勢力）に抗して第１の右側部材４６R1および第１の左側部材４６L1内に収容された状態となる。
また、たとえばスライド部材５０の中央先端が第２の表示Ｂ2（φ５００）の位置にくるまでスライド部材５０をスライドさせた場合には、図６に示すように滑車４４がスライド部材５０と共に下方に移動するため、第７の右側部材４６R7および第７の左側部材４６L7が第６の右側バネ４７R6および第６の左側バネ４７L6の付勢力によって第６の右側部材４６R6および第６の左側部材４６L6から飛び出す（図６参照）。その結果、スライド部材５０をスライドさせることにより、巻回し径＝５００ｍｍで巻き回された光ケーブル余長部分の右下部および左右下部を第１および第２の右側ケーブル受けガイド４３R1，４３R2と第１および第２の左側ケーブル受けガイド４３L1，４３L2とで受けて支持させる位置まで右側伸縮部材４１Rおよび左側伸縮部材４１Lを自動的に伸ばすことができる。
【００２９】
スライド部材５０は、右下側面および左下側面が縦部材２０の本体２１の長手方向に対して１２０°の角度となるように構成されている。
また、スライド部材５０の裏面には、縦部材２０の本体２１の両側面に形成された２つの係合溝２１ａに係合される２つの係合爪（不図示）が形成されている。これにより、スライド部材５０は、縦部材２０の本体２１の長手方向に沿ってスライド可能とされている。
【００３０】
固定部材６０は、縦部材２０の本体２１の上端部の上端支持部材２３よりも上に取り付けられており、ケーブル余長巻回し補助具１０を電柱などに固定するためのものである。
【００３１】
次に、以上のように構成されたケーブル余長巻回し補助具１０の使用方法について、図７乃至図１０を参照して説明する。
作業員は、固定部材６０によって電柱上の金物または光ケーブル支持線にケーブル余長巻回し補助具１０を固定するとともに、余長処理金物（たとえば、Ｊ型余長処理金具）をケーブル余長巻回し補助具１０と並べて固定する。
【００３２】
その後、作業員は、光ケーブル１の余長巻回し個所の余長をたとえば０．５ｍ単位の精度で測って、測った余長に基づいて適切な仕上り径（巻回し径）となるような巻回し回数を決める。
このとき、作業員が余長作業をする際に仕上り径および巻回し回数を直ぐに分かるようにするために、図１０に示すような横軸に光ケーブル余長部分の長さを取るとともに縦軸に仕上り径を取って巻回し回数をパラメータとして光ケーブル余長部分の長さと仕上り径との関係をグラフで示したケーブル余長巻回し仕上り図９０を、たとえば縦部材２０の本体２１の表面の上端支持部材２３と第１の表示Ｂ1（φ４００）との間に取り付けてもよい。
【００３３】
適切な仕上り径が４００ｍｍであった場合には、作業員は、スライド部材５０の中央先端が第１の表示Ｂ1（φ４００）に位置することを確認したのち、図７に示すように右側および左側上部ガイド３０R，３０Lを右左に４５°の角度で開く。
その後、作業員は、光ケーブル余長部分の巻回し部分の上端を上端支持部材２３の下面に当てたのち、右側上部ガイド３０R、右側下部ガイド４０R、左側下部ガイド４０L、左側上部ガイド３０Lおよび上端支持部材２３の順番で光ケーブル余長部分を受けさせることを巻回し回数だけ繰り返す。
これにより、作業員は、光ケーブル余長部分を適切な仕上り径＝４００ｍｍで簡単に巻き回すことができる。
【００３４】
その後、作業員は、光ケーブル余長部分を仮固定したのちにそのまま余長処理金物へ水平移動して、光ケーブル余長部分を余長処理金物へ正式に固定する。
【００３５】
適切な仕上り径が６００ｍｍであった場合には、作業員は、図８に示すようにスライド部材５０の中央先端が第３の表示Ｂ3（φ６００ｍｍ）の位置にくるまでスライド部材５０をスライドさせ、右側および左側上部ガイド３０R，３０Lを右左に４５°の角度で開いたのち、上述した作業を行う。
【００３６】
適切な仕上り径が１０００ｍｍであった場合には、作業員は、図９に示すようにスライド部材５０の中央先端が第７の表示Ｂ7（φ１０００ｍｍ）の位置にくるまでスライド部材５０をスライドさせ、右側および左側上部ガイド３０R，３０Lを右左に４５°の角度で開いたのち、上述した作業を行う。
【００３７】
以上、本発明のケーブル余長巻回し補助具の実施例について光ケーブル１を例として説明したが、他のケーブルについてケーブル余長処理作業を行う際にも本発明のケーブル余長巻回し補助具を使用することができる。
【００３８】
また、右側および左側ケーブル受けガイド３１Ra，３１Laは、５００ｍｍ（最大の巻回し径の半分）の曲率半径で曲げられた形状としたが、第１および第２の右側ケーブル受けガイド４３R1，４３R2と第１および第２の左側ケーブル受けガイド４３L1，４３L2と同様に、一端のみを右側ガイド部材３１Rおよび左側ガイド部材３１Lに固定して、巻回し径に関係なく光ケーブル余長部分の右上部および左上部全体を受けて支持できるようにしてもよい。
【００３９】
さらに、右側および左側伸縮部材４１R，４１Lは、図５に示したようにスライド部材５０をスライドさせることにより自動的に伸縮する構成のものとしたが、伸縮棒として作業員が手で伸縮させるようにしてもよい。
【符号の説明】
【００４０】
１  光ケーブル
１０  ケーブル余長巻回し補助具
２０  縦部材
２１  本体
２１ａ  係合溝
２３  上端支持部材
２４R，２４L  右側および左側上部ガイド支持部材
３０R，３０L  右側および左側上部ガイド
３１R，３１L  右側および左側ガイド部材
３１Ra，３１La  右側および左側ケーブル受けガイド
３２R，３２L  右側および左側支持部材
４０R，４０L  右側および左側下部ガイド
４１R，４１L  右側および左側伸縮部材
４２R，４２L  右側および左側ガイド部材
４３R1，４３R2  第１および第２の右側ケーブル受けガイド
４３L1，４３L2  第１および第２の左側ケーブル受けガイド
４４  滑車
４５R，４５L  右側用および左側用ロープ
４６R1〜４６R7  第１乃至第７の右側部材
４６L1〜４６L7  第１乃至第７の左側部材
４７R1〜４７R6  第１乃至第６の右側バネ
４７L1〜４７L6  第１乃至第６の左側バネ
５０  スライド部材
６０  固定部材
９０  ケーブル余長巻回し仕上り図
Ｂ1〜Ｂ7  第１乃至第７の表示
ＣR1〜ＣR7，ＣL1〜ＣL7  第１乃至第７の右側および左側回転軸
【図１】
2012027293.tif 000003
【図２】
2012027293.tif 000004
【図３】
2012027293.tif 000005
【図４】
2012027293.tif 000006
【図５】
2012027293.tif 000007
【図６】
2012027293.tif 000008
【図７】
2012027293.tif 000009
【図８】
2012027293.tif 000010
【図９】
2012027293.tif 000011
【図１０】
2012027293.tif 000012